(57)【特許請求の範囲】
【請求項１】
所定間隔毎に略平行に配設される複数の第１区画要素と、所定間隔毎に略平行に配設されて前記複数の第１区画要素に対して交差された状態で一体化される複数の第２区画要素とを有する網状片が備えられ、前記網状片の一面に複数の石が固定手段を介してそれぞれ取付けられている土木構築物用ユニットにおいて、
前記複数の第１区画要素が、前記網状片の厚み方向において、前記複数の第２区画要素よりも該網状片の一面側に近いように位置されて、該複数の第１区画要素と該複数の第２区画要素との間に所定の段差が形成され、
前記固定手段が、隣り合う前記第２区画要素同士間において、隣り合う前記第１区画要素を少なくとも跨ぐように配設される座板と、該座板を前記石に押し付ける締結具と、を有している、
ことを特徴とする土木構築物用ユニット。
【請求項２】
請求項１において、
前記座板が、前記隣り合う第１区画要素同士間に臨む挿通孔を有し、
前記締結具が、前記座板の挿通孔を挿通して前記石に固定される軸部と、該軸部に前記座板の外方側において設けられ該座板を係止する拡径部とを有している、
ことを特徴とする土木構築物用ユニット。
【請求項３】
請求項１又は２において、
前記座板が、前記隣り合う第２区画要素同士間に略適合して収まるように設定されている、
ことを特徴とする土木構築物用ユニット。
【請求項４】
請求項１〜３のいずれかにおいて、
前記固定手段が、ボルトと、該ボルトが螺合するナットと、前記ボルトが挿通する挿通孔を有する座板と、からなり、
前記ナットが、前記石に進入口を露出させつつ埋設固定され、
前記座板が、前記隣り合う第２区画要素同士間において、該座板の挿通孔を前記ナットの進入口に臨ませつつ少なくとも前記隣り合う第１区画要素を跨ぐように配置され、
前記ボルトが、前記網状片の他面側外方から前記座板の挿通孔及び該網状片の目に挿通されて、前記ナットに螺合されている、
ことを特徴とする土木構築物用ユニット。
【請求項５】
請求項１〜４のいずれかにおいて、
前記網状片が菱形金網とされている、
ことを特徴とする土木構築物用ユニット。
【請求項６】
請求項１〜４のいずれかにおいて、
前記網状片が、平行に配設された複数の鉄筋の上に別の複数の鉄筋を交差させて一体化されている、
ことを特徴とする土木構築物用ユニット。
【請求項７】
表面から外部に突出するようにねじ棒が固定された複数の石と、所定間隔毎に略平行に配設される複数の第１区画要素及び所定間隔毎に略平行に配設されて前記複数の第１区画要素に対して交差された状態で一体化される複数の第２区画要素を有し、前記複数の第１区画要素と前記複数の第２区画要素との間に、厚み方向において、前記ねじ棒の突出量程度の段差が形成された網状片と、前記ねじ棒が挿通可能な挿通孔を備える座板と、を用意し、
前記複数の石を前記ねじ棒が上方に突出するように敷き並べ、
次に、前記複数の石の上に前記網状片を、前記複数の第１区画要素同士を下側に向けつつ被せて、前記各石のねじ棒を該網状片の目に挿通し、
次に、前記座板を前記網状片を介して前記各石の上にそれぞれ配置して、該各座板を、隣り合う前記第２区画要素同士間において、該各座板の挿通孔を前記ねじ棒に挿通させつつ隣り合う前記第１区画要素に跨がるように位置させ、
次に、前記各石毎に、前記座板の外方側において、前記ねじ棒にナットを螺合して、該各ナットを、前記隣り合う第２区画要素同士よりも外方に突出しないようにする、
ことを特徴とする土木構築物用ユニットの製造方法。
【請求項８】
施工面に吸い出し防止シートを介して複数の土木構築物用ユニットが敷設され、
前記各土木構築物用ユニットは、所定間隔毎に略平行に配設される複数の第１区画要素と、所定間隔毎に略平行に配設されて前記複数の第１区画要素に対して交差された状態で一体化される複数の第２区画要素とを有する網状片が備えられ、前記網状片の一面に複数の石が固定手段を介してそれぞれ取付けられ、前記複数の第１区画要素が、前記網状片の厚み方向において、前記複数の第２区画要素よりも該網状片の一面側に近いように位置されて、該複数の第１区画要素と該複数の第２区画要素との間に所定の段差が形成され、前記固定手段が、隣り合う前記第２区画要素同士間において、隣り合う前記第１区画要素を少なくとも跨ぐように配設される座板と、該座板を前記石に押し付ける締結具と、を有している、ことを特徴とする土木構築物。
【発明の詳細な説明】
【０００１】
【発明の属する技術分野】
本発明は、護岸等の土木構築物の構築に使用する土木構築物用ユニット、その土木構築物用ユニットを製造する土木構築物用ユニットの製造方法及びその土木構築物用ユニットを用いて構築された土木構築物に関する。
【０００２】
【従来の技術】
近時、護岸等の土木構築物の施工においては、複数の土木構築物用ユニットが用いられる傾向にある。この各土木構築物用ユニットは、網状片の一面に複数の石を固定手段を介して取付けたものとなっており、この複数の土木構築物用ユニットは、施工面に予め敷設される吸い出し防止シート（吸い出し防止材）上に敷設されることになっている。これにより、本来の護岸機能を確保できることは勿論、周囲の自然景観に調和させることができると共に自然への回帰を促進することができることになる。
【０００３】
【発明が解決しようとする課題】
しかし、上記土木構築物用ユニットにおいては、一般に網状片の他面側から固定手段が突出することになっており、土木構築物用ユニットを吸い出し防止シート上に降ろすと、その固定手段の突出部が、石の荷重を受けて吸い出し防止シートに食い込み、吸い出し防止シートが破損される虞がある。
また、上記吸い出し防止シートへの食い込みは、吸い出し防止シート上で土木構築物用ユニットをずらすこと（横ずらし）を難しくしており（抵抗が大きい）、土木構築物用ユニットの位置合わせ（微調整）は容易ではない。仮に、土木構築物用ユニットを無理にずらして位置合わせをするような場合には、上記食い込みに基づき、吸い出し防止シートが破損される可能性が高まることになる。
【０００４】
本発明は上記実情に鑑みてなされたもので、その第１の技術的課題は、吸い出し防止シートの破損を防止でき、且つ吸い出し防止シート上での横ずらしを行うことができる土木構築物用ユニットを提供することになる。
第２の技術的課題は、上記土木構築物用ユニットを製造する土木構築物用ユニットの製造方法を提供することにある。
第３の技術的課題は、上記土木構築物用ユニットを用いた土木構築物を提供することにある。
【０００５】
【課題を解決するための手段】
上記第１の技術的課題を達成するために本発明（請求項１の発明）にあっては、
所定間隔毎に略平行に配設される複数の第１区画要素と、所定間隔毎に略平行に配設されて前記複数の第１区画要素に対して交差された状態で一体化される複数の第２区画要素とを有する網状片が備えられ、前記網状片の一面に複数の石が固定手段を介してそれぞれ取付けられている土木構築物用ユニットにおいて、
前記複数の第１区画要素が、前記網状片の厚み方向において、前記複数の第２区画要素よりも該網状片の一面側に近いように位置されて、該複数の第１区画要素と該複数の第２区画要素との間に所定の段差が形成され、
前記固定手段が、隣り合う前記第２区画要素同士間において、隣り合う前記第１区画要素を係止するようにして前記石に固定されている構成としてある。この請求項１の好ましい態様としては、請求項２〜６の記載の通りとなる。
【０００６】
上記第２の技術的課題を達成するために本発明（請求項７の発明）にあっては、
表面から外部に突出するようにねじ棒が固定された複数の石と、所定間隔毎に略平行に配設される複数の第１区画要素及び所定間隔毎に略平行に配設されて前記複数の第１区画要素に対して交差された状態で一体化される複数の第２区画要素を有し、前記複数の第１区画要素と前記複数の第２区画要素との間に、厚み方向において、前記ねじ棒の突出量程度の段差が形成された網状片と、前記ねじ棒が挿通可能な挿通孔を備える座板と、を用意し、
前記複数の石を前記ねじ棒が上方に突出するように敷き並べ、
次に、前記複数の石の上に前記網状片を、前記複数の第１区画要素同士を下側に向けつつ被せて、前記各石のねじ棒を該網状片の目に挿通し、
次に、前記座板を前記網状片を介して前記各石の上にそれぞれ配置して、該各座板を、隣り合う前記第２区画要素同士間において、該各座板の挿通孔を前記ねじ棒に挿通させつつ隣り合う前記第１区画要素同士に跨がるように位置させ、
次に、前記各石毎に、前記座板の外方側において、前記ねじ棒にナットを螺合して、該各ナットを、前記隣り合う第２区画要素同士よりも外方に突出しないようにする、
ことを特徴とする土木構築物用ユニットの製造方法とした構成としてある。
【０００７】
上記第３の技術的課題を達成するために本発明（請求項８の発明）にあっては、
施工面に吸い出し防止シートを介して複数の土木構築物用ユニットが敷設され、
前記各土木構築物用ユニットは、所定間隔毎に略平行に配設される複数の第１区画要素と、所定間隔毎に略平行に配設されて前記複数の第１区画要素に対して交差された状態で一体化される複数の第２区画要素とを有する網状片が備えられ、前記網状片の一面に複数の石が固定手段を介してそれぞれ取付けられ、前記複数の第１区画要素が、前記網状片の厚み方向において、前記複数の第２区画要素よりも該網状片の一面側に近いように位置されて、該複数の第１区画要素と該複数の第２区画要素との間に所定の段差が形成され、前記固定手段が、隣り合う前記第２区画要素同士間において、隣り合う前記第１区画要素を少なくとも跨ぐように配設される座板と、該座板を前記石に押し付ける締結具と、を有している、ことを特徴とする土木構築物とした構成としてある。
【０００８】
【発明の効果】
請求項１の発明によれば、複数の第１区画要素と複数の第２区画要素との間に所定の段差が形成され、固定手段が、隣り合う第２区画要素同士間において、隣り合う第１区画要素を係止するようにして石に固定されていることから、隣り合う第１区画要素を石と固定手段とで係止することに基づき、石を網状片の一面に固定できる一方、複数の第１区画要素と複数の第２区画要素との段差状の配置関係に基づき、複数の第１区画要素から網状片の他面側において、隣り合う第２区画要素同士間の空間を固定手段の配設空間として利用できることになり、固定手段が網状片の他面側から突出することを抑制できることになる。このため、当該土木構築物用ユニットの敷設時に、吸い出し防止シートに対する固定手段の突出部の食い込みが抑えられることになり、吸い出し防止シートの破損を抑制できると共に、吸い出し防止シート上での当該土木構築物用ユニットの横ずらし（位置合わせ）を改善できることになる。
【０００９】
しかも、固定手段が、隣り合う第２区画要素間において、隣り合う第１区画要素を少なくとも跨るように配設される座板と、該座板を石に押し付ける締結具と、を有していることから、締結具の締結力を座板を介して隣り合う第１区画要素に作用させ、座板を、隣り合う第１区画要素に的確に係止させることができることになり、石を確実に網状片の一面に固定できることになる。
【００１０】
請求項２の発明によれば、座板が、隣り合う第１区画要素間に臨む挿通孔を有し、締結具が、座板の挿通孔を挿通して石に固定される軸部と、該軸部に座板の外方側において設けられ該座板を係止する拡径部とを有していることから、前記請求項１と同様の作用効果が生じるばかりでなく、軸部が隣り合う第１区画要素により規制されることになり、座板を、隣り合う第２区画要素同士間において、隣り合う第１区画要素に常に跨らせた状態として、該隣り合う第１区画要素に的確に係止させておくことができることになる（石を網状片に確実に固定できることになる）。
【００１１】
請求項３の発明によれば、座板が、隣り合う第２区画要素同士間に略適合して収まるように設定されていることから、隣り合う第２区画要素等を座板の回り止め部材として利用できることになり、座板を一層確実に隣り合う第１区画要素に係止させておくことができることになる。
【００１２】
請求項４の発明によれば、固定手段が、ボルトと、ナットと、挿通孔を有する座板と、からなり、ナットが、石に進入口を露出させつつ埋設固定され、座板が、隣り合う第２区画要素同士間において、該座板の挿通孔をナットの進入口に臨ませつつ少なくとも隣り合う第１区画要素を跨るように配置され、ボルトが、網状片の他面側外方から座板の挿通孔及び該網状片の目に挿通されて、ナットに螺合されていることから、ボルトとナット（石に埋設）とにより、前記請求項１、２等と同様の作用効果を具体的に得ることができることになる。
【００１３】
請求項５の発明によれば、網状片が菱形金網とされていることから、この菱形金網においても、その構成線材により、複数の第１区画要素及び複数の第２区画要素を形成して、所定の段差を形成できることになり、前述の請求項１〜４と同様の作用効果を具体的に得ることができることになる。
【００１４】
請求項６の発明によれば、網状片が、平行に配設された複数の鉄筋の上に別の複数の鉄筋を交差させて一体化されていることから、各複数の鉄筋により複数の第１区画要素及び複数の第２区画要素を形成して、所定の段差を形成できることになり、前述の請求項１〜４と同様の作用効果を具体的に得ることができることになる。
【００１５】
請求項７の発明によれば、前記請求項１等に係る土木構築物用ユニットを具体的に製造でき、吸い出し防止シートの破損を抑制できると共に、吸い出し防止シート上での当該土木構築物用ユニットの横ずらし（位置合わせ）を改善できるばかりか、複数の石の上に網状片を被せた後は、網状片は、該網状片の目に挿通されたねじ棒によって移動が規制（位置決め）されることになり、網状片に対する石の固定作業を容易且つ的確に行うことができることになる。
【００１６】
請求項８の発明によれば、施工面に吸い出し防止シートを介して前記請求項１に係る土木構築物用ユニットが敷設されていることから、吸い出し防止シートの破損を抑制できると共に、吸い出し防止シート上での土木構築物用ユニットの横ずらし（位置合わせ）を改善して作業性を向上できる土木構築物を提供できることになる。
【００１７】
【発明の実施の形態】
以下、本発明の実施形態について図面に基づいて説明する。
【００１８】
図１において、符号１は護岸である。この護岸１は、その護岸法面（法尻等を含む）１ａに、吸い出し防止シート２を介して実施形態に係る土木構築物用ユニット３を多数敷設しており、その各土木構築物用ユニット３は，隣り合うもの同士が連結されている。
【００１９】
上記吸い出し防止シート２は、予め上記護岸法面１ａに敷設されて土砂等の吸い出しを防止する機能を有し、その素材としては、ある程度柔らかいものが用いられている。
【００２０】
上記各土木構築物用ユニット３は、図２、図３に示すように、網状片としての金網４に複数の自然石（石）５が取付けられている。
【００２１】
金網４は、本実施形態においては、全体が矩形形状（例えば一辺２ｍの正方形）とされた菱形金網とされており、金網４は、複数の第１区画要素６と複数の第２区画要素７とにより形成されている。各第１区画要素６は、所定間隔毎に略真っ直ぐ延びた状態で配設されており、該各第１区画要素６は互いに平行に配置されている。各第２区画要素７も、互いに平行な関係をもって、所定間隔毎に略真っ直ぐ延びた状態で配設されており、この各第２区画要素７は、金網４の厚み方向において、ボルト（後述）の厚みよりも幾分長い所定の段差Ｈもって、複数の第１区画要素６に対して交差された状態で一体化されている。これにより、全体形状として、所定の段差Ｈに基づく所定厚みのシート形状が形成されると共に、隣り合う第１区画要素６と隣り合う第２区画要素７とに基づき、菱形の網目８が区画されることになっている。
【００２２】
具体的には、金網４が菱形金網であることから、図３に示すように、各第１、第２区画要素７、８は、複数本の線材（段差をもってジグザグ状とされたもの）９を組む（絡ませる）ことにより形成されており、該各第１、第２区画要素７、８は、複数本の線材９の一部９aを部分的につなぎ合わせる構成とされている。
【００２３】
このような金網４は、複数の第１区画要素６を複数の第２区画要素７よりも上側に位置するようにして護岸法面１に敷設されており、その金網４の上面側（複数の第１区画要素６側）が表面側（一面側）とされ、その金網４の下面側（複数の第２区画要素７側）が裏面側（他面側）とされている。
【００２４】
複数の自然石５としては、玉石、割石等の種々のものが用いられている。この各自然石５には、長尺なナット（通称アンカー金具）１０が埋設固定されており、その進入口１０ａは、自然石５の表面から外部に開口されている。この場合、ナット１０の埋設固定は、本実施形態においては、自然石５にドリルを用いて穴１１をあけ（図４参照）、その穴１１内に楔１２をセットし、その穴１１内に、挿入先端部に複数のスリット１３（図３参照）を有するナット１０をハンマー２０により打ち込み（図５参照）、楔１２によって拡開されたナット１０の拡開部１０ｂを穴１１内周面に係合すること（図６参照）により得られる。
【００２５】
このような複数の自然石５は、前記金網４の表面上に配置されており、各自然石５内におけるナット１０の進入口１０ａは、金網４の表面に向けられている。尚、図２、図３においては、金網４の表面は下向きにされている。
【００２６】
金網４に対する複数の自然石５の取付けには、本実施形態においては、前記ナット１０の他に、座金１４とボルト１５とが用いられている。
【００２７】
座金１４は、図３に示すように、長尺な板状体とされている。この座金１４は、その厚みが第１区画要素６と第２区画要素７との所定の段差Ｈよりも十分に薄くされており、その長手方向長さとして、少なくとも隣り合う第１区画要素６同士間の長さＬ１以上の長さが確保され、その幅方向長さとして、隣り合う第２区画要素７同士間（長さＬ２）に略適合して収まる長さが設定されている。この座金１４には、挿通孔１７が形成されており、その挿通孔１７は、座金１４の長手方向中央部に位置されている。
【００２８】
このような座金１４は、図３に示すように、各自然石５毎に金網４の裏面に対してそれぞれセットされており、座金１４は、該当する網目８において、該網目８を区画する隣り合う第２区画要素７同士間に収納されると共に、該網目８を区画する隣り合う第１区画要素６を跨ぐように配設され、その座金１４の挿通孔１７は、その網目８を介して自然石５内のナット１０の進入口１０ａに臨むようにされている（図３中、一点鎖線参照）。
【００２９】
ボルト１５は、図２、図３に示すように、既知の如く、雄ねじを有する軸部１８と、該軸部１８よりも拡径された頭部１９とを有しており、そのボルト１５の軸部１８を金網４の裏面側から座金１４の挿通孔１７、金網４の網目８を挿通した後、ナット１０に螺合され、ボルト１５の頭部１９と自然石５とは、座金１４及び金網４を挟持し、金網４の表面に自然石５を固定することになっている。この場合（締結時）、ボルト１５の頭部１９は、第１区画要素６と第２区画要素７との段差Ｈ内に収まり、ボルト１５の頭部１９は金網４の裏面（第２区画要素７）よりも外方に突出しないようになっている。
【００３０】
次に、上記土木構築物用ユニット３の製造方法について説明する。
先ず、金網４上に配置すべき複数の自然石５を平坦な作業面上に敷き並べる。この場合、各自然石５には、前述の如く、ナット１０が埋設固定され、そのナット１０の進入口１０ａは上方に向けられる。また、複数の自然石５は、金網４内に配置できるように、数、配置が決められる。
【００３１】
次に、上記複数の自然石５の上に金網４を被せる。この場合、金網４は、複数の第１区画要素６側が複数の自然石（下側）５に向けられる。
【００３２】
次に、図３に示すように、各自然石５毎に、上記金網４の裏面に対して座金１４をそれぞれセットする。この場合、各座金１４は、隣り合う第２区画要素７同士間において、座金１４の挿通孔１７を網目８を介して自然石５内におけるナット１０の進入口１０ａに臨ませつつ、隣り合う第１区画要素６に十分に跨るように配置される。
【００３３】
次に、各自然石５毎に、座金１４の挿通孔１７、金網４の網目８にボルト１５をそれぞれ通して、各ボルト１５を各自然石５のナット１０に螺合し、ボルト１５の頭部１９と自然石５とで、座金１４及び金網４を挟持する。これにより、各自然石５は、金網４の表面に固定されることになる。この場合、各ボルト１５の頭部１９は、複数の第２区画要素７（金網４の裏面）よりも外方に突出することはない。
【００３４】
したがって、上記土木構築物用ユニット３においては、ボルト１５が金網４の裏面（複数の第２区画要素７）よりも外方に突出することがないことから、土木構築物用ユニット３を敷設する場合、吸い出し防止シート２の破損を抑制できると共に、吸い出し防止シート上での土木構築物用ユニット３の横ずらし（位置合わせ）を改善できることになる。
しかも、座金１４を収納する隣り合う第２区画要素７等（実施形態では第１区画要素６も関与（図３参照））が座金１４の回り止め部材として機能するばかりか、ボルト１５の軸部１８が隣り合う第１区画要素６等により移動が規制されることになり、座金１４は、所定の位置で的確に係止部材として機能し、自然石５は金網４の表面に固定され続けることになる。
【００３５】
図７は他の実施形態を示すものである。この他の実施形態において、前記実施形態と同一構成要素については同一符号を付してその説明を省略する。
【００３６】
この実施形態においては、図７に示すように、前記実施形態に係るナット１０に代えて、ねじ棒２１が自然石５に突出するように固定されており、そのねじ棒（突出部）２１は、金網４の網目８、座金１４の挿通孔１７に挿通され、そのねじ棒２１に拡径部としてのナット２２が螺合されている。
これにより、この場合においても、ナット２２及びねじ棒２１は、金網４の他面から突出することはなく、前記実施形態と同様の作用効果を得ることができることになる。
【００３７】
尚、本実施形態においては、ねじ棒２１の固定は、挿入先端部に複数のスリットを有する円筒状のねじ棒２１を用い、ねじ棒２１を押し込んで（打ち込んで）、楔１２によって拡開されたねじ棒２１の拡開部２１ａを穴１１内周面に係合することにより得られる。
このような土木構築物用ユニット３の製造は、前記実施形態に係るナット１０に代えてねじ棒２１を用い、また、前記実施形態に係るボルト１５に代えてナット２２を用いる以外、基本的には同じとされている。
【００３８】
以上実施形態について説明したが本発明にあっては、次のような態様を包含する。
１）石として、自然石５に代えて擬石を用いること。
２）長尺なナット１０を自然石５に埋設固定する場合に代えて、自然石５に直接、雌ねじを形成すること。
３）ねじ棒２１を自然石５に埋設固定する場合において、挿入先端部に複数のスリットを有する円筒状のねじ棒２１を用い、ピンをねじ棒２１内に外部から押し込むことにより、ねじ棒の拡開部を押し開くようにしたものを用いること。
４）網状片として、平行に配設された複数の鉄筋（第１区画要素）の上に別の複数の鉄筋（第２区画要素）を交差するように配設し、それらを結合して、格子状にしたものを用いること。
５）ナット１０又はねじ棒２１を自然石５に固定するに際して、ナット１０又はねじ棒２１と穴１１内面とを接着剤を介して接着すること。
【００３９】
尚、本発明の目的は、明記されたものに限らず、実質的に好ましい或いは利点として記載されたものに対応したものを提供することをも含むものである。
【図面の簡単な説明】
【図１】実施形態に係る土木構築物用ユニットを用いた護岸を示す説明図。
【図２】実施形態に係る土木構築物用ユニットの要部拡大説明図。
【図３】実施形態に係る土木構築物用ユニットにおける自然石と金網との取付け関係を説明する説明図。
【図４】自然石に対するナットの取付け工程を説明する説明図。
【図５】図４の続きの工程を説明する説明図。
【図６】図５の続きの工程を説明する説明図。
【図７】他の実施形態に係る土木構築物用ユニットの要部拡大説明図。
【符号の説明】
１  護岸
３  土木構築物用ユニット
４  金網
５  自然石
６  第１区画要素
７  第２区画要素
８  網目
１０  ナット
１０ａ  進入口
１４  座金
１５  ボルト
１６  段差
１７  挿通孔
１８  軸部
１９  ボルト頭部
２１  ねじ棒
２２  ナット
【図１】
0003579023.tif 000002
【図２】
0003579023.tif 000003
【図３】
0003579023.tif 000004
【図４】
0003579023.tif 000005
【図５】
0003579023.tif 000006
【図６】
0003579023.tif 000007
【図７】
0003579023.tif 000008